(57)【要約】      （修正有）【課題】防護服に冷却パッドを着脱自在に取り付け、防護服を着用することにより冷却パッドが作業者の頸部及び頭頂部に当接し、頸部を冷却することにより体温を低下させて熱中症を防止すると共に、頭頂部を冷却することにより爽快感を付与する。【解決手段】上下つなぎで頭部を覆うフードを有する防護服１において、防護服本体における着用者の頸部及びフードの頭頂部に相当する位置の内側に、保冷剤又は冷却剤を使用した冷却パッド１０を収容するポケット７，１１を形成したことを特徴とする。【選択図】図２
0003124210.tif 000002
【実用新案登録請求の範囲】
【請求項１】
上下つなぎで頭部を覆うフード（５）を有する防護服（１）において、当該防護服本体（２）における着用者の頸部及び前記フード（５）の頭頂部に相当する位置の内側に、保冷剤又は冷却剤を使用した冷却パッド（１）を収容するポケット（７、１１、１２）を形成したことを特徴とする、防護服
【請求項２】
前記防護服本体（２）及びフード（５）の内面にシート（８）を当接し、当該シート（８）の一縁を除く周縁を防護服本体（２）及びフード（５）に接合して前記ポケット（７、１１）を形成したことを特徴とする、請求項１に記載の防護服
【請求項３】
前記防護服本体（２）及びフード（５）における着用者の頸部を取り巻く位置及び、着用者の後頸部から頭頂部に至る位置の内面に、逆Ｔ字状のシート（８）を当接し、当該シート（８）における頸部を取り巻く位置の上縁及び後頸部から頭頂部に至る部分の先端縁を除いて、前記シート（８）の周縁を防護服本体（２）及びフード（５）に接合して前記ポケット（１２）を形成したことを特徴とする、請求項１に記載の防護服
【請求項４】
前記シート（８）が織物又は不織布よりなることを特徴とする、請求項２又は３に記載の防護服
【請求項５】
前記シート（８）を前記防護服本体（２）又はフード（５）に対し、縫合、接着又は熱融着により接合したことを特徴とする、請求項２又は３に記載の防護服
【考案の詳細な説明】
【技術分野】
【０００１】
本発明は有害物を取り扱う作業に際し、作業者の身体を有害物から防護するための防護服に関するものであって、特に当該防護服により外気から遮断された作業者が、防護服内にこもった熱気によって熱中症に侵されるのを防止することのできる防護服に関するものである。
【背景技術】
【０００２】
従来から有害な薬品やアスベストなどの有害物を取り扱う際作業においては、作業者の身体を有害物から防護するために、作業者の身体を外気から遮断する防護服を着用して作業することが行われている。
【０００３】
これらの防護服１は図１に示すように、防護服本体２は通常有害物の透過を遮断する気密性の生地で作られ、上着とズボンとが上下つなぎになっており、手や足には別体の手袋３及びオーバーシューズ４を装着し、防護服本体２の袖部及び脚部の先端部と隙間なく重なっている。
【０００４】
また頭部を覆うフード５が防護服本体２と一体に形成され、顔面の開口部周縁もゴムなどにより顔面に密着しており、有害物が防護服１内に浸入するのを極力防止する構造となっている。また有害性の高い物質を扱う場合には、顔面もマスクで覆い、防毒マスクなどを通して呼吸を確保している。
【０００５】
このように防護服１は、作業者の身体と外気との間を防護服１で遮断するものであるため、防護服１内と外気との空気の流通が乏しい。そのため防護服１を着用して長時間作業していると、防護服１内に熱がこもり、その熱が放出されることがないため、作業者が熱中症に侵される可能性が高い。
【０００６】
人の体温を低下させて熱中症を予防する手段としては、例えば特開２００４−７６２４０号公報に示されたものが知られている。これは衣服の胸部及び背部に保冷パックを貼着したものである。
【０００７】
しかしながら一般に熱中症を防止するためには、頸部、腋窩、股間などの、太い動脈が体表近くを通る部分を冷却するのが良いとされており、胸部や背部に保冷パックを設けても、熱中症の防止には効果は薄い。また防護服１の上又は下にこのような着衣をさらに着用することにより、さらに熱の放散を抑制する恐れもある。
【０００８】
また前述のような熱中症防止に有効な箇所を集中的に冷却するものとして、特開２００２−１１９５３０号公報に示されたものが知られている。これは頸部、腋窩、股間などに冷却パッドを配置し、これらに冷却液を循環させるものであるが、作業中に冷却パッドが動くと重く感じ、作業効率が低下する。
【０００９】
さらに特開２００６−５７１８９号公報には、人の頸部から肩にかけて冷却する用具が示されているが、頸部を冷却するのは有効であるが肩を冷やすのは好ましくなく、かえって肩凝りなどの原因となる。また前記公報に示された構造のものでは、頚部のみを冷却するのは困難である。
【特許文献１】特開２００４−７６２４０号公報
【特許文献２】特開２００２−１１９５３０号公報
【特許文献３】特開２００６−５７１８９号公報
【考案の開示】
【考案が解決しようとする課題】
【００１０】
本考案はかかる事情に鑑みなされたものであって、前述のような防護服に冷却パッドを着脱自在に取り付け、防護服を着用することにより冷却パッドが作業者の頸部及び頭頂部に当接し、頸部を冷却することにより体温を低下させて熱中症を防止すると共に、頭頂部を冷却することにより爽快感を付与することを目的とするものである。
【課題を解決するための手段】
【００１１】
而して本考案の防護服は、上下つなぎで頭部を覆うフードを有する防護服において、当該防護服本体における着用者の頸部及び前記フードの頭頂部に相当する位置の内側に、保冷剤又は冷却剤を使用した冷却パッドを収容するポケットを形成したことを特徴とするものである。
【００１２】
本考案において前記ポケットを形成するには、前記防護服本体及びフードの内面にシートを当接し、当該シートの一縁を除く周縁を防護服本体及びフードに接合して前記ポケットを形成することができる。
【００１３】
また他の方法として、前記防護服本体及びフードにおける着用者の頸部を取り巻く位置及び、着用者の後頸部から頭頂部に至る位置の内面に、逆Ｔ字状のシートを当接し、当該シートにおける頸部を取り巻く位置の上縁及び後頸部から頭頂部に至る部分の先端縁を除いて、前記シートの周縁を防護服本体及びフードに接合して前記ポケットを形成することもできる。
【００１４】
また本考案において前記シートは、織物又は不織布よりなるものとするのが適当である。また当該シートを前記防護服本体又はフードに対し、縫合、接着又は熱融着により接合することが好ましい。
【考案の効果】
【００１５】
本考案によれば、防護服の前記ポケットに冷却パッドを収容し、その状態で防護服を着用すれば、自然に冷却パッドが着用者の頸部及び頭頂部に当接する。頸部を冷却することにより脳に向かう血流を冷却し、脳の過度の温度上昇を防止すると共に、その血流が循環することにより全身の体温を低下させ、熱中症を防止することができる。また脳の温度を低下させると共に、頭頂部を冷却することにより、着用者は爽快感を覚え、作業効率を向上させることができる。
【考案を実施するための最良の形態】
【００１６】
以下本考案の実施の形態を図面に従って説明する。図２は本考案の防護服において、防護服本体２の胸部のファスナー６を開き、頭部を覆うフード５の顔面開口部を大きく拡げた状態を示すものである。
【００１７】
而して防護服本体２に対するフード５の取り付け部分、すなわち着用者の頸部を取り巻く位置の内側に、頸部ポケット７が形成されている。この頸部ポケット７は、防護服本体２とフード５との境界部に横長のシート８を配置し、当該シート８の上部を除く周縁部及び中央部の接合部９において、防護服本体２に接合して形成し、その上部開口部から頸部ポケット７内に冷却パッド１０を収容するようになっている。
【００１８】
またフード５の頭頂部に相当する位置の内側にも頭部ポケット１１が形成されている。この頭部ポケット１１も前後に長いシート８よりなり、当該シート８の後部を除く周縁部が接合部９でフード５に接合され、後部開口部から頭部ポケット１１内に冷却パッド１０を収容するようになっている。
【００１９】
図３は本考案の他の形態を示すものであって、着用者の頸部を取り巻く位置から頭頂部にかけて、逆Ｔ字状ポケット１２を形成したものである。すなわち防護服本体２における着用者の頸部を取り巻く位置及び、着用者の後頸部から頭頂部に至る位置の内面に、逆Ｔ字状のシート８を配置し、当該シート８における頸部を取り巻く部分の上縁及び後頸部から頭頂部に至る部分の先端縁を除いて、前記シート８の周縁を防護服本体２及びフード５に接合し、頸部を取り巻く部分の上縁及び後頸部から頭頂部に至る部分の先端縁から、逆Ｔ字状ポケット１２内に冷却パッド１０を収容するようになっている。
【００２０】
ポケット７、１１、１２を構成するシート８としては、織物又は不織布を使用するのが適当である。またそのシート８を防護服本体２及びフード５に接合する手段としては、縫合、接着又は熱融着などの手段によることができる。縫合の場合には接合部９に針穴が生じるので、接着又は熱融着によることが好ましい。
【００２１】
またポケット７、１１、１２内に収容する冷却パッド１０は、柔軟な気密性の袋内に保冷剤又は冷却剤を収容したものである。保冷剤は熱容量の大きい水溶性高分子のゲルであって、冷蔵庫で冷却したものをポケットに収容する。また冷却剤は吸熱反応又は負の溶解熱により冷却するものであって、使用直前に薬剤を混合し又は溶解する。
【００２２】
本考案によれば、防護服１のポケット７、１１、１２に冷却した冷却パッド１０を収容し、その状態で防護服１を着用し、ファスナー６を閉じてフード５で頭部を覆えば、図１に示すように冷却パッド１０は自然に着用者の頸部及び頭頂部に位置する。
【００２３】
従ってそのまま作業すれば、作業者の頸部が冷却パッド１０によって冷却され、熱中症を防止することができると共に、頭頂部が冷却されることにより作業者は爽快感を覚え、作業効率が向上する。
【００２４】
所定時間の作業が終了した後は、防護服１を脱ぎ、冷却パッド１０を取り外して、保冷剤を使用した冷却パッド１０であれば再度冷却して再利用する。また冷却剤を使用した冷却パッド１０は通常は廃棄する。また冷却パッド１０を取り外した防護服１は、その用途に応じて廃棄するか、又は可能であれば再度冷却した冷却パッド１０を収容して再使用することもできる。
【図面の簡単な説明】
【００２５】
【図１】防護服の正面図
【図２】本考案の一例を示す防護服の主要部を開いた状態の拡大正面図
【図３】本考案の他の例を示す防護服の主要部を開いた状態の拡大正面図
【符号の説明】
【００２６】
１  防護服
２  防護服本体
５  フード
７、１１、１２  ポケット
８  シート
９  接合部
１０  冷却パッド
【図１】
0003124210.tif 000003
【図２】
0003124210.tif 000004
【図３】
0003124210.tif 000005